(57)【要約】【課題】  フォイル裏打ちＦＩＢＣ（バルクバッグ）用のハーメチックシールを提供する。【解決手段】  本明細書中に説明する発明は、一般に、バッグ用のハーメチックシール及びその内部に保存される材料を維持しながら、開閉できるバッグ用ハーメチックシールを提供するよう、バッグと共に用いられるハーメチックシールアセンブリに関するシステム及び方法に関する。ハーメチックシールアセンブリは蓋と鍔とを含むことができ、ここで、鍔は、バッグに解放自在に取り付けることができるか、バッグの開口部に一体化させることができる。【選択図】なし【特許請求の範囲】
【請求項１】
バルクバッグ用のシールアセンブリシステムであって、
材料を保存するバッグであって、開口部を含むバッグを備え、
前記バッグは内層及び外層を含み、前記内層はフォイル積層体であり、前記外層はポリプロピレンからできているリボン織り構造であり、
上端部と、それに対向する下端部と、前記上端部と前記下端部との間に延在する通路を画成する内壁を有する鍔を備え、
前記鍔は、
前記上端部上の縁部と、
前記下端部上のウェブと、を有し、
前記鍔の前記ウェブは前記開口部において前記内層及び前記外層と一体化され、
前記鍔の前記縁部に解放自在に取り付けられて前記開口部におけるハーメチックシールを提供するよう構成される蓋を備える、
シールアセンブリシステム。
【請求項２】
前記鍔は第１の大きさを有する第１の形状であり、前記バッグの前記開口部は第２の大きさを有する前記第１の形状であり、前記第１の大きさは前記第２の大きさよりも大きい、請求項１に記載のシールアセンブリシステム。
【請求項３】
前記ウェブは前記下端部から外側に延在する、請求項１に記載のシールアセンブリシステム。
【請求項４】
前記ウェブは第１の厚さ及び第２の厚さを含み、前記第１の厚さは前記第２の厚さよりも厚く、前記第２の厚さと比較して前記下端部に近接して位置決めされる、請求項１に記載のシールアセンブリシステム。
【請求項５】
前記ウェブの一部は前記バッグの１つ以上の層同士の間で一体化される、請求項１に記載のシールアセンブリシステム。
【請求項６】
前記ウェブの一部は前記バッグの前記内層と一体化される、請求項１に記載のシールアセンブリシステム。
【請求項７】
前記ウェブの一部は前記外層に結合され、前記外層は前記内層に結合される、請求項１に記載のシールアセンブリシステム。
【請求項８】
前記ウェブの一部は前記バッグの前記内層に結合される、請求項１に記載のシールアセンブリ。
【請求項９】
更に、前記鍔の一部を前記バッグの一部に固定する熱溶着を備える、請求項１に記載のシールアセンブリ。
【請求項１０】
更に、前記縁部と前記ウェブとの間で前記鍔の外壁に支持リブを備える、請求項１に記載のシールアセンブリ。
【請求項１１】
バッグであって、
前記バッグはある容積の材料を保持するよう構成される立方体形状を有し、前記バッグは、正面、前記正面と対向する背面、左側面、前記左側面と対向する右側面、上面、及び、前記上面と対向する底面を有し、
前記バッグの前記上面上の開口部であって、内層又は外層のうちの少なくとも１つによって形成される開口部と、
前記材料のための気密エンクロージャを提供するよう構成される内層であって、前記気密エンクロージャは前記開口部を介してアクセスできる内層と、
前記内層の周囲に位置決めされる外層であって、構造支持及びリボン織りとの整合性を提供する外層と、を備え、
前記開口部は、前記内層又は前記外層のうちの少なくとも１つによって形成されるネック部を含み、
上端部と、それと対向する下端部と、前記上端部と前記下端部との間に延在する通路を画成する内壁と、前記内壁と対向する外壁とを有し、前記通路のための厚さ及び直径を有する鍔を備え、
前記鍔は前記ネック部の上に位置決めされ、前記内層又は前記外層のうちの少なくとも１つが前記鍔の縁部の上で折り返され、前記内層又は前記外層のうちの少なくとも１つは前記鍔の前記外壁上に折り返され、
前記鍔に解放自在に結合される蓋であって、前記鍔に取り付けられる場合に、前記蓋、前記外層、前記内層、及び前記鍔の前記縁部を共に押圧する力を印加する蓋を備える、
バッグ。
【請求項１２】
前記外層はポリプロピレンである、請求項１１に記載のバッグ。
【請求項１３】
前記内層はフォイル積層体である、請求項１２に記載のバッグ。
【請求項１４】
更に、前記内層又は前記外層のうちの１つを前記鍔の前記外壁に押し付けて、前記鍔からの前記蓋の取り外し時に連結を維持する圧縮部材を備える、請求項１１に記載のバッグ。
【請求項１５】
前記圧縮部材はポリマーである、請求項１１に記載のバッグ。
【請求項１６】
前記蓋が前記鍔の前記蓋に結合される場合、前記鍔の前記縁部は前記外層の外装と当接し、且つ、前記蓋の底部は前記内層の内装と当接する、請求項１１に記載のバッグ。
【請求項１７】
前記蓋が前記鍔の前記蓋に結合される場合、前記鍔の前記縁部は前記内層の外装と当接し、且つ、前記蓋の底部は前記内層の内装と当接する、請求項１１に記載のバッグ。
【請求項１８】
更に、前記鍔の一部と一体化される前記バッグの前記ネック部の一部を備える、請求項１１に記載のバッグ。
【請求項１９】
前記鍔は第１の大きさを有する第１の形状であり、前記バッグの前記開口部は第２の大きさを有する前記第１の形状であり、前記第１の大きさは前記第２の大きさよりも大きい、請求項１１に記載のバッグ。
【請求項２０】
バルクバッグ用のシールアセンブリシステムであって、
材料を保存し、第１の端部と、それと対向する第２の端部とを有するバッグであって、前記第１の端部に開口部を含むバッグを備え、
前記バッグは内層及び外層を含み、前記内層はフォイル積層体であり、前記外層はポリプロピレンからできているリボン織り構造であり、
上端部と、それに対向する下端部と、前記上端部と前記下端部との間に延在する通路を画成する内壁を有する鍔を備え、
前記鍔は、更に、外壁を含み、
前記鍔は、
前記上端部上の縁部と、
前記外壁から垂直で、外側にあるウェブと、
前記縁部と前記ウェブとの間の支持リブと、を有し、
前記鍔は、前記外層が前記内壁及び前記外壁と当接するように、前記バッグの一部の周囲に取り付けられ、
前記鍔の周囲に位置決めされて前記外層及び前記内層を前記鍔の前記外壁に向けて押し付けるよう構成される圧縮部材と、
前記鍔の前記縁部に解放自在に取り付けられて前記開口部におけるハーメチックシールを提供するよう構成される蓋であって、前記縁部は前記外層と当接し、前記蓋は前記内層と当接し、前記外層及び前記内層が間に入って前記縁部と結合する蓋と、を備える、
シールアセンブリシステム。
【発明の詳細な説明】
【技術分野】
【０００１】
関連出願の相互参照
本願は、２０１７年１月１７日出願の米国仮特許出願第６２／４４７，１２９号明細書の継続出願であり、その利益を主張する。かかる出願の全体を引用して本明細書中に組み込む。
【０００２】
一般に、本発明はバッグ又はフレキシブルコンテナ用のハーメチックシールアセンブリに関する。
【背景技術】
【０００３】
一般にはフレキシブル中型積み荷コンテナ（ＦＩＢＣ）又は簡単にバルクバッグと呼ばれる布地の大型バッグの使用が、大量の物資（例えば、粉末状物質、粒状物質、液体、等）を輸送するために普及している。バルクバッグは、フォークリフト及びフック又はタイヤを有する他の資材運搬機器によって持ち上げ、移動し、又は輸送することができる。通常、バルクバッグ用の布地は、天然繊維が用いられてもよいが、丈夫なテープ状の人工合成樹脂繊維（例えば、数ある中でもポリプロピレン）から織り込まれる。フレキシブル中型積み荷コンテナは、あらゆる種類の流動性材料を収容、保存、輸送、及び荷揚げするために広く用いられている。
【０００４】
バルクバッグは、また、大気侵入を防ぐ内層又は周囲の湿度条件への暴露防止を含むよう作製されてもよい。多くの場合、フォイル積層体が吸湿を制限する内層として含むことができる。例えば、バルクバッグは、吸湿しやすく、溶接金属における拡散性水素を招く恐れのある流束材料を収容することができる。フォイル積層体の内層を有するバルクバッグは湿気への曝露を制限できるが、フォイル積層体の有効性は、バルクバッグの開口時に低下する。
【０００５】
従って、これらの懸念に対処する改良されたバルクバッグアセンブリ、システム、又は手法が必要とされている。
【発明の概要】
【課題を解決するための手段】
【０００６】
本発明の一実施形態によれば、バルクバッグ用のシールアセンブリシステムが提供される。シールアセンブリは、材料を保存するバッグであって、開口部を含むバッグを含むことができる。バッグは内層及び外層を含み、ここで、内層はフォイル積層体であり、外層はポリプロピレンからできているリボン織り構造である。鍔は、上端部と、それに対向する下端部と、上端部と下端部との間に延在する通路を画成する内壁を有する。鍔は、上端部上の縁部と、下端部上のウェブとを含むことができ、ここで、縁部は上端部の外周上にあり、ウェブは下端部から外側に、そして、略平行に延在する。鍔のウェブは開口部において内層及び外層と一体化される。鍔の縁部に解放自在に取り付けられて開口部におけるハーメチックシールを提供するよう構成される蓋が備えられてもよい。
【０００７】
本発明の一実施形態によれば、バルクバッグが提供される。バッグはある容積の材料を保持するよう構成される立方体形状を有し、バッグは、正面、正面と対向する背面、左側面、左側面と対向する右側面、上面、及び、上面と対向する底面を有している。バッグはバッグの上面上に開口部を含み、ここで、開口部は内層又は外層のうちの少なくとも１つによって形成される。バッグは材料のための気密エンクロージャを提供するよう構成される内層を含み、ここで、気密エンクロージャは開口部を介してアクセスできる。バッグは内層の周囲に位置決めされる外層を含み、ここで、外層は構造支持及びリボン織りとの整合性を提供する。開口部は内層又は外層のうちの少なくとも１つによって形成されるネック部を含む。バッグは、上端部と、それと対向する下端部と、上端部と下端部との間に延在する通路を画成する内壁と、内壁と対向する外壁とを有し、通路のための厚さ及び直径を有する鍔を含む。鍔はネック部の上に位置決めされてもよく、内層又は外層のうちの少なくとも１つが鍔の縁部の上で折り返され、ここで、内層又は外層のうちの少なくとも１つは鍔の外壁上に折り返される。バッグは、更に、鍔に解放自在に結合される蓋であって、鍔に取り付けられる場合に、蓋、外層、内層、及び鍔の縁部を共に押圧する力を印加する蓋を含む。
【０００８】
本発明の一実施形態によれば、少なくとも以下を含むハーメチックシールアセンブリであって、材料を保存するバッグであって、第１の端部と、それと対向する第２の端部と、第１の端部に開口部とを有するバッグを含み、バッグは内層及び外層を含み、内層はフォイル積層体であり、外層はポリプロピレンからできているリボン織り構造であり、上端部と、それに対向する下端部と、上端部と下端部との間に延在する通路を画成する内壁を有する鍔を含み、鍔は更に外壁を含み、鍔は、上端部上の縁部と、外壁から垂直で、外側に延在するウェブと、縁部とウェブとの間の支持リブとを有し、鍔は、外層が内壁及び外壁と当接するように、バッグの一部の周囲に取り付けられ、鍔の周囲に位置決めされて外層及び内層を鍔の外壁に向けて押し付けるよう構成される圧縮部材と、鍔の縁部に解放自在に取り付けられて開口部におけるハーメチックシールを提供するよう構成される蓋とを含み、ここで、縁部は外層と当接し、蓋は内層と当接し、蓋は外層及び内層が間に入って縁部と結合できる。
【０００９】
本発明のこれら及び他の目的は、図面、詳細な説明、及び添付特許請求の範囲に照らし合わせて考察した場合に明らかとなるであろう。
【００１０】
本発明は、ある特定の部品及び部品の配置において物理的な形態を取ってもよく、その好ましい実施形態を、明細書において詳細に説明し、これに関する部分を形成する添付図面において図示する。
【図面の簡単な説明】
【００１１】
【図１】図１は、鍔から取り外される蓋を有するハーメチックシールアセンブリを示す。
【図２】図２は、鍔に取り付けられる蓋を有するハーメチックシールアセンブリを示す。
【図３】図３は、鍔から取り外される蓋を有するハーメチックシールアセンブリの平面図を示す。
【図４】図４は、ハーメチックシールアセンブリの鍔の底面図を示す。
【図５】図５は、積層されたポリプロピレンシート又はフィルムを有するバッグを示す。
【図６】図６は、バッグのリボン織り構造を示す。
【図７】図７は、コンテナバッグを示す。
【図８】図８は、開口部を有するバッグの側面と一体化されたハーメチックシールアセンブリを示す。
【図９】図９は、バッグの開口端の周囲に取り付けられたハーメチックシールアセンブリの鍔を示す。
【図１０】図１０は、バッグの開口端を封止するハーメチックシールアセンブリを示す。
【図１１】図１１は、バッグの開口部を封止するハーメチックシールアセンブリを示す。
【図１２】図１２は、ハーメチックシールアセンブリの鍔の斜視図を示す。
【図１３】図１３は、ハーメチックシールアセンブリの鍔の平面図を示す。
【図１４】図１４は、ハーメチックシールアセンブリの鍔の底面図を示す。
【図１５】図１５は、ハーメチックシールアセンブリの鍔の正面図を示し、ここで、背面図、左側面図、及び右側面図は、その鏡像である。
【図１６】図１６は、ハーメチックシールアセンブリの蓋の斜視図を示す。
【図１７】図１７は、ハーメチックシールアセンブリの蓋の底面図を示す。
【図１８】図１８は、ハーメチックシールアセンブリの蓋の平面図を示す。
【図１９】図１９は、ネック部及び開口部を有するバッグの外層及び内層の図を示す。
【図２０】図２０は、外層及び内層を有するバッグ上の開口部の図を示す。
【図２１】図２１は、連結を容易にするよう圧縮部材と共に１つ以上の層を有するバッグと共に用いられるハーメチックシールアセンブリの図を示す。
【発明を実施するための形態】
【００１２】
発明の実施形態は、バルクバッグ用のハーメチックシール及びその内部に保存される材料を維持しながら、開閉できるバルクバッグ用ハーメチックシールを提供するよう、バルクバッグと共に用いられるハーメチックシールアセンブリに関する方法及びシステムに関する。ハーメチックシールアセンブリは蓋と鍔とを含むことができ、ここで、鍔は、バルクバッグの一部に解放自在に取り付けることができるか、バルクバッグの開口部に一体化させることができる。
【００１３】
本明細書中で用いるような「溶接」とは、この用語のその他の成語要素を含み、サブマージアーク、ＧＴＡＷ、ＧＭＡＷ、ＭＡＧ、ＭＩＧ、ＴＩＧ溶接、何らかの高エネルギー熱源（例えば、レーザ、電子ビーム等）、又は溶接システムにより用いられる何らかの電気アークを含むが、これらに限定されない電気アークの操作を介する溶融材料の溶着を指す。その上、溶接作業は、溶融亜鉛めっき皮膜等であるが、これに限定されないコーティングを含む母材上であってもよい。
【００１４】
本明細書中で用いるような「コンポーネント」又は「コントローラ」とは、少なくとも１つのプロセッサ及びメモリの一部を含むか、それらを利用してもよいハードウェアの一部、ソフトウェアの一部、又はそれらの組み合わせであってもよく、ここで、メモリは実行するための命令を含んでいる。
【００１５】
本明細書中で用いるような「バッグ」とは、バルクバッグ、コンテナバッグ、及び／又は材料を収容する品物であってもよく、ここで、収容又は保存される材料は固体、液体、気体、又はそれらの組み合わせであってもよい。バッグは内層及び外層を含むことができ、ここで、内層は大気条件に対する障壁を提供し、外層は耐久性及び剛性を提供する。一実施形態において、外層はリボン織り構造であってもよい。内層及び／又は外層は、適切な技術的判断により選択される任意の適切な材料でできていてもよい。一実施例において、バッグは１つ以上の空洞部を含むことができ、各空洞部は材料を保存又は収容する。例えば、バッグは、第１の材料を保存又は収容する第１の空洞部と、第２の材料を保存又は収容する第２の空洞部と、第３の材料を収容又は保存する第３の空洞部とを含むことができる。かかる実施例において、各空洞部は、その内部に含まれる材料に少なくとも部分的に基づいて、それぞれの層に適切な材料を含むことができる。バッグの各層が厚さを含むことができ、ここで、その厚さはかかる空洞部の内部に保存される材料又は層が作製される材料のうちの少なくとも１つに基づいてもよいことは、更に正しく認識すべきである。バッグは、バッグが開口端又は開口部のうちの少なくとも１つを含む形状及びサイズであってもよい。バッグが１つ以上の開口端を含むことができることは、正しく認識するべきである。別の実施例において、バッグが１つ以上の開口部を含むことができることは、正しく認識するべきである。バッグは、容量を定義するよう構成され、アクセス又は分配／充填するための少なくとも１つの開口部を持つ形状を有することができる。
【００１６】
本明細書中で検討した実施形態は、上で検討したシステム及び方法に関連する一方で、これらの実施形態は、例示的であることを目的とし、これらの実施形態の適用性を本明細書中で説明したそれらの検討だけに制限することを意図していない。本明細書中で検討した制御システム及び方法は、上で検討した発明の精神又は適用範囲から逸脱することなく、アーク溶接、レーザ溶接、ろう付け、はんだ付け、プラズマ切断、ウォータージェット切断、レーザ切断に関するシステム及び方法、並びに、類似した制御方法を用いるその他のシステム及び方法に等しく適用可能であるか、それらにおいて利用することができる。本明細書中の実施形態及び検討は、当業者によってこれらのシステム及び方法のいずれかに容易に組み込むことができる。限定ではなく、一例として、本明細書中で用いられる電力供給装置（例えば、溶接電力供給装置等）は、溶接、アーク溶接、レーザ溶接、ろう付け、はんだ付け、プラズマ切断、ウォータージェット切断、レーザ切断等を行う装置のための電力供給装置であってもよい。従って、適切な技術及び判断のうちの１つは、主題発明の実施形態の有効範囲の意図する適用範囲から逸脱することなく、溶接電力供給装置以外の電力供給装置を選択することができる。
【００１７】
加えて、本明細書中に説明するハーメチックシールアセンブリは、バッグが用いられ、かかるバッグの中身が溶接環境又は溶接システムに関連する必要がない任意の環境に関連していてもよい。
【００１８】
図面を参照して、同様の符号は、幾つかの図の全体を通して、同一又は相当する部品を示している。しかし、異なる図における同様の構成要素の包含は、所定の実施形態が必ずしもかかる構成要素を含むか、又は、発明の全ての実施形態がかかる構成要素を含むことを意味するものではない。実施例及び図は説明するためだけのものであり、特許請求の範囲の適用範囲及び精神によって判断される本発明を制限することを意味するものではない。
【００１９】
図１〜４及び１２〜１８は、鍔１０２及び蓋１０４を含むハーメチックシールアセンブリ１００を示している。鍔１０２は上端部１０６と、それに対向する下端部１０８とを含むことができる。鍔１０２は上端部１０６と下端部１０８との間に通路１０３（図１２に示す）を含むことができる。鍔１０２はバッグ用のハーメチックシールアセンブリと共に用いられてもよく、鍔１０２はバッグの開口部に取り付けられるか、又は、バッグの開口端の周囲に設置される。蓋１０４は鍔１０２に解放自在に結合され、ここで、蓋１０４は上面１１８、底面１２０、上面と底面との間の側壁、及び、蓋１０４の外周上の張出し部１２２を含むことができる。一実施形態において、蓋１０４は、蓋１０４の第１の開口部上で鍔１０２から取り外すことができるロック機構を含むことができる。
【００２０】
鍔１０２は内壁１２４と外壁１２６とを含むことができる。一実施形態において、鍔１０２及び蓋１０４の形状は円形であってもよい。鍔１０２及び蓋１０４の形状は適切な技術的判断により選択されてもよく、鍔１０２及び／又は蓋１０４の形状は主題の発明を制限するものではないことは、正しく認識するべきである。鍔１０２は上端部１０６に縁部１１０を含むことができ、ここで、縁部１１０は蓋１０４の底面で間隙部１２８と噛合するよう構成される。鍔１０２の外壁１２６は、更に、バッグの一部又はバッグの層のうちの少なくとも１つにおいて一体化又は結合されるよう用いられるウェブ１１１を含むことができる。特に、バッグの開口部は外周を含むことができ、ここで、ウェブ１１１は、ウェブ１１１の外周がバッグの開口部の外周と整合するように、熱溶着される。ウェブ１１１は、剛性のための第１の部分１１４と、熱溶着時、バッグ又は１つ以上のバッグ層（例えば、内層、外層、追加層、それらの組み合わせ）のうちの少なくとも１つと一体化する第２の部分１１６とを含むことができる。第１の部分１１４は第１の厚さを有し、第２の部分１１６は第２の厚さを有することは、正しく認識するべきであり、ここで、第１の厚さは第２の厚さよりも厚い。
【００２１】
鍔１０２は、更に、鍔１０２の外壁１２６上で、縁部１１０とウェブ１１１との間に位置する支持リブ１１２を含むことができる。支持リブ１１２は、数ある中でも、バッグの中身を充填、補充、空にする、アクセス、洗浄する間にハーメチックシールアセンブリ及び／又はバッグの支持を提供するよう用いられてもよい。その上、バッグの一部が、支持リブ１１２と下端部１０８又はウェブ１１１との間の位置において外壁１２６上で鍔１０２と一体化されるか、それに結合されてもよい。
【００２２】
一実施形態において、鍔１０２はバッグの開口部と一体化することができる（以下でより詳細に検討し、少なくとも図８に示す）。特に、鍔１０２はバッグ又はバッグの１つ以上の層のうちの少なくとも１つと一体化されるか、それに結合されてもよく、鍔１０２の下端部１０８の外周がバッグの開口部の外周と一体化される。鍔１０２がバッグの一部又はバッグの開口部の一部と結合されてもよいことは、正しく認識するべきである。別の実施形態において、鍔１０２はバッグの開口端の周囲に配置されてもよく、バッグは鍔１０２の上で外側に折り返され、ここで、蓋１０４が蓋１０４と鍔１０２の縁部１１０との間でバッグの折り返し部分を押圧し、封止する（以下で検討し、少なくとも図９〜１１に示す）。かかる実施形態において、バッグの開口端の一部は鍔の一部と一体化されるか、それと結合されてもよい。かかる実施形態を続けると、開口部が位置するバッグの一部は通路１０３を通って配置されてもよい。鍔１０２を通るバッグの一部は、鍔１０２の上に裏返され（例えば、折り返され）てもよく、蓋１０４は、開口部を閉じている間、バッグが蓋１０４と鍔との間に挟まれるように、鍔１０２に解放自在に取り付けられてもよい。
【００２３】
上で検討したように、ハーメチックシールアセンブリ１００は鍔１０２と蓋１０４とを含むことができ、ここで、それぞれは、蓋１０４が解放自在に鍔１０２に結合することができるように、それぞれの形状及び寸法を含むことができる。一実施形態において、鍔１０２は約１０インチ〜１４インチの内径を含むことができる。その上、鍔１０２の高さ（例えば、上端部１０６と下端部１０８との間）は約１インチ〜５インチであってもよい。ウェブ１１１は、約１インチ〜５インチの外壁１２６から外側の幅を有することができる。その上、ウェブ１１１の第１の厚さ１１４は約１／８インチであってもよく、第２の厚さ１１６は０．０１５インチであってもよい。しかし、鍔又はハーメチックシールアセンブリの任意の構成部品（例えば、蓋、ウェブ、等）の直径、高さ、形状、及び／又はサイズは、主題発明の適用範囲から逸脱することなく、適切な技術的判断により選択されてもよい。
【００２４】
一実施形態において、ウェブ１１１はバッグの内層とバッグの外層との間に挿入することができ、ここで、ウェブは内層又は外層の一部と一体化される。別の実施形態において、内層及び外層は共に一体化され、ウェブ１１１の底面が鍔１０２の一部と一体化されるか、結合されるように、それと一体化されるか、結合されてもよい。別の実施形態において、内層及び外層は共に一体化され、ウェブ１１１の上面が鍔１０２の一部と一体化されるか、結合されるように、それと一体化されるか、結合されてもよい。
【００２５】
図２は、鍔１０２に取り付けられるか、又は、解放自在に結合される蓋１０４を示している。蓋１０４は、上面１１８と、底面１２０と、それらの間の側壁とを含むことができ、ここで、底面１２０は鍔１０２上の縁部１１０の一部により受けるよう構成される間隙部１２８を含んでいる。間隙部１２８は蓋１０４の底面１２０上に位置決めされてもよく、ここで、間隙部１２８及び縁部１１０はさね継ぎ連結を利用していることを、正しく認識するべきである。蓋１０４は鍔１０２に解放自在に結合されるよう構成されてもよく、かかる連結は主題発明の適用範囲から逸脱することなく、適切な技術的判断により選択されてもよい。限定ではなく、一例として、蓋１０４は、数ある中でも、オス・メス継手、ねじ接続、圧入接続、さね継ぎ接続のうちの少なくとも１つによって鍔１０２と結合されてもよい。
【００２６】
図３は、鍔３０２を通してバッグの開口端に挿入し、端部を鍔３０２の周囲で折り畳み、そして、蓋３０４を用いてバッグの一部を鍔３０２の上端部に対して押圧することによって、バッグの開口端に取り付けられる鍔３０２及び蓋３０４を含むハーメチックシールアセンブリ３００の実施形態の斜視図を示している。図４は、ハーメチックシールアセンブリ３００の底面斜視図を示している。鍔３０２は上端部３０６と、それに対向する下端部３０８とを含むことができる。鍔３０２は上端部３０６と下端部３０８との間に通路３０３を含むことができる。鍔３０２は、バッグの一部が鍔３０２の通路３０３を通って配置されるバッグ用ハーメチックシールアセンブリと共に利用されてもよい。蓋３０４は、鍔３０２に解放自在に結合される。一実施形態において、蓋３０４は、蓋３０４の第１の開口部上で鍔３０２から取り外すことができるロック機構を含むことができる。
【００２７】
鍔３０２は内壁３２４と外壁３２６とを含むことができる。一実施形態において、鍔３０２及び蓋３０４の形状は円形であってもよい。鍔３０２及び蓋３０４の形状は適切な技術的判断により選択されてもよく、鍔３０２及び／又は蓋３０４の形状は主題の発明を制限するものではないことは、正しく認識するべきである。鍔３０２は上端部３０６に縁部３１０を含むことができ、ここで、縁部３１０は蓋３０４の底面で間隙部又はリム部と噛合するよう構成される。
【００２８】
鍔３０２は、更に、鍔３０２の外壁３２６上で、縁部３１０と下端部３０８との間に位置する支持リブ３１２を含むことができる。支持リブ３１２は、数ある中でも、バッグの中身を充填、補充、空にする、アクセス、洗浄する間にハーメチックシールアセンブリ及び／又はバッグの支持を提供するよう用いられてもよい。
【００２９】
蓋１０４は鍔１０２又は鍔３０２と共に用いられてもよいことは、正しく認識するべきである。別の実施形態において、蓋３０４は鍔３０２又は鍔１０２と共に用いられてもよいことは、正しく認識するべきである。言い換えれば、蓋は、汎用であってもよいか、又は、ハーメチックシールアセンブリの鍔の一実施形態に特有のものであってもよい。
【００３０】
図５は、リボン織りバッグ５００の一実施形態を示している。バッグ５００はリボン織りのポリプロピレンバッグ構造であってもよく、標準的な現場での全ての廃棄物を、安全にリボン織りで形成されたバッグ内に収容することができ、そのため、バッグは、現場で折り畳まれ、次いで、開けられ、充填されて提供される使い捨てバッグであってもよい。充填されると、バッグ５００はその頂部で持ち上げられ、廃棄物処理場に輸送することができる。バッグ５００は、長手方向に通る織りリボン５０４と、横方向に通るリボン５０６とを備える側面５０２を有することができる。バッグ５００は閉口端５１０と開口端５０８とを含むことができる。一実施形態において、閉口端５１０は、図示するようにそれ自体を折り畳まれ、バッグ５００を完成させるよう縫合部５１２を介してバッグの底部で縫合することができる。バッグ５００は、開口端５０８と、それと対向する閉口端５１０と、側面５０２と、背面（正面５０２と対向する）と、左側面と、右側面とを含むことができる。バッグ５００はある容積を収容又は保存できる。上で検討したように、バッグ５００は１つ以上の層を含むことができる。例えば、バッグ５００は、密封される内層と、内層の外側の外層を含むことができ、ここで、外層は側壁（例えば、前面、背面、左側、右側）と開口端５０８と閉口端５１０とを有してリボン織りされている。これは、更に、図１９〜２１において示す。
【００３１】
バッグ５００の形状は、主題発明の適用範囲から逸脱することなく、適切な技術的判断により選択されてもよく、ここで、形状はある容積の材料を保存又は収容するよう構成される。一実施形態において、バッグ５００の形状は、正面、正面と対向する背面、左側面、左側面と対向する右側面、上面、及び、上面と対向する底面を有する立方体状であってもよい。一実施例において、バッグ５００は、バッグ５００の内側にアクセスできる少なくとも１つの開口部を含むことができる。別の実施例において、バッグ５００は開口端を含むことができ、ここで、正面、背面、左側面、右側面、上面、又は底面のうちの少なくとも１つが開口している。
【００３２】
図６に目を向けると、バッグ５００用のリボン織り６００の一部を示している。一実施形態において、リボンの幅は２〜８ミリメートルの間であってもよいが、幅は、少なくともバッグに収容／保存される材料に基づいて、適切な技術的判断により選択されてもよい。例えば、織り方を密にすればする程、すなわち、リボンの幅を狭くすればする程、バッグの物理的な強度特性が強くなることは、正しく認識するべきである。幅の広いリボンの使用は、緩い織り方が関係すると解釈でき、従って、バッグはより密な織り方よりも軽い可能性がある。
【００３３】
図９、１０、及び１１に目を向けると、鍔３０２及び蓋３０４をバッグ５００と使用することを示している。鍔３０２及び蓋３０４はバッグ５００と共に用いることができ、バッグ５００の開口端５０８が鍔３０２を通って設置され、特に、開口端５０８が通路３０３（図３に示す）に挿入されている。バッグ５００の開口端５０８の一部は、上端部３０６を通って挿入され、鍔３０２の縁部３１０の周囲で扇状に広げられる。蓋３０４は鍔３０２上に設置されて、蓋３０４と鍔３０２の縁部３１０との間でバッグ５００の開口部の外周を挟むことができる。特に、縁部３１０は（鍔３０２で折り返された）バッグ５００の外層５０１の一部と当接し、蓋３０４はバッグ５００の内層５０３（図１０及び１１に示す）と当接している。この連結により、鍔３０２及び蓋３０４がバッグ５００の開口部に対してハーメチックシールを提供することを可能にし、ここで、蓋３０４は封止可能であり、且つ、何度でも封止可能である。鍔３０２及び蓋３０４は、開口部（開口部５０８等）を有するバッグと共に利用することができ、また、バッグに対する何らかの構造変更又は修正を加えることなく、バッグに適用可能及び／又は使用可能である。
【００３４】
図７に目を向けると、バッグ７００を斜視図で示している。バッグ７００は、通常、パレット７０２に載せて出荷し、輸送することができる。バッグ７００は上側面７０６近傍に１つ以上のループ７０４を含むことができる。例えば、１つ以上のループ７０４は、バッグ７００を異なる場所に、そして、そこから移動させることを容易にすることができる。バッグ７００は側壁７０８（例えば、前面、背面、左側、右側）を含むことができる。バッグ７００は、更に、上面と、それに対向する底面とを含むことができ、ここで、上面は開口部を含むことができる。他の実施形態において、バッグ７００は上面に開口端を含むことができ、鍔３０２及び蓋３０４がハーメチックシールを提供するよう利用することができる。
【００３５】
図８はバッグ７００と一体化された鍔１０２を示し、ここで、蓋１０４はハーメチックシールを提供する鍔に取り付けられて示されている。特に、鍔１０２はバッグ７００の上面と一体化されているが、鍔１０２はバッグ７００の任意の側面又は場所と一体化できることは、正しく認識するべきである。例えば、ハーメチックシールアセンブリ（例えば、鍔１０２、蓋１０４）はバッグ７００の側壁又はバッグ７００の底面上にあってもよい。
【００３６】
図１２〜１５は鍔１０２を示している。特に、図１２は鍔１０２の斜視図である。図１３は、ハーメチックシールアセンブリの鍔１０２の平面図を示している。図１４は、ハーメチックシールアセンブリの鍔１０２の底面図を示している。図１５は、ハーメチックシールアセンブリの鍔１０２の正面図を示しており、ここで、背面図、左側面図、及び右側面図は、その鏡像である。
【００３７】
図１６〜１８は、主題発明によるハーメチックシールアセンブリと共に用いられる蓋を示している。図１６は、ハーメチックシールアセンブリと共に用いられる蓋の斜視図である。図１７は、ハーメチックシールアセンブリの蓋の底面図を示している。図１８は、ハーメチックシールアセンブリの蓋の平面図を示している。
【００３８】
上で検討したように、鍔１０２（図１に示す）の一部はバッグの一部と一体化されるか、それと結合されてもよい。別の実施形態において、鍔３０２（図３に示す）の一部はバッグの一部と一体化されるか、それと結合されてもよい。一体化又は結合は、主題発明の適用範囲から逸脱することなく、適切な技術的判断により選択されてもよいことは、正しく認識するべきである。限定ではなく、一例として、バッグの一部への鍔の一部の一体化は、熱板溶着、平板溶着、インパルス溶着、熱棒溶着、バッグの一部と鍔の一部との編み込み、バッグの１つ以上の層の間への鍔の一部の挿入、鍔へのバッグの一部の溶融、バッグへの鍔の一部の溶融、又はそれらの組み合わせであってもよいが、これらに限定されない。別の実施形態において、鍔の一部はバッグの一部へ結合されてもよく、ここで、かかる結合は、接着剤、テープ留め、貼り付け、ボルト締め、リベット締め、又はそれらの組み合わせであってもよいが、これらに限定されない。
【００３９】
更に別の実施形態において、鍔３０２は、開口部を通して鍔３０２に挿入された後に、バッグの外面層すなわち外層に解放自在に結合されてもよい。バッグの１つ以上の層は、鍔３０２の外壁３２６、鍔３０２の内壁３２４、縁部３１０、下端部３０８、支持リブ３１２のうちの少なくとも１つ、又はそれらの組み合わせと一体化されるか、それらに結合されてもよい。
【００４０】
一実施形態において、バッグの開口端は、バッグと鍔３０２との間の連結を容易にする圧縮部材１９１４を含むことができる。例えば、バッグの開口端が鍔３０２を通って挿入され、鍔の縁部３１０に折り返されて、折り返されたバッグの一部が鍔３０２の一部に結合されるように、圧縮部材１９１４が力を維持するよう設置されてもよい。圧縮部材１９１４は、バッグの開口端と一体化されるか、それに織り込まれてもよいか、若しくは、織り込まれず、バッグの一部ではない別々の構成部品であってもよい。圧縮部材１９１４は、バッグの一部を押し潰して鍔３０２の一部と結合する力を印加することができる。
【００４１】
図１９〜２１に目を向けると、ハーメチックシールアセンブリシステムを示している。図１９はバッグ１９００の一部を示し、ここで、バッグは頂部に開口部を有する立方体形状（例えば、底部、左側面、右側面、正面、背面、及び頂部）を有している。図１９において、バッグは、外層１９０２及び内層１９０４を有して示されている。限定ではなく、一例として、内層１９０２はフォイル積層体であってもよく、外層１９０４はリボン織りポリプロピレン構造であってもよい。バッグ１９００は１つ以上の層を含むことができ、そして、外層１９０２及び内層１９０４は主題発明に限定されないことは、正しく認識するべきである。その上、外層１９０２は第１の材料から作製されてもよく、内層１９０４は第２の材料から作製されてもよく、ここで、第１の材料は、バッグに構造強度、整合性、及び耐久性を備えるよう適切な技術的判断により選択されてもよく、第２の材料は、空気が内層１９０４に入らないよう、若しくは、内層１９０４に保存又は収容される材料を汚染しないよう防ぐために適切な技術的判断により選択されてもよい。例えば、外層１９０２は、１つ以上の材料をリボン又は繊維の形で有するリボン織りであってもよい。別の例として、内層１９０４はプラスチック又は他の気密材料であってもよい。
【００４２】
内層１９０４は、内層１９０４の中身の曝露を可能にしないバッグ１９００用の気密及び／又はハーメチックシールであるように作成されてもよい。内層１９０４は、１つ以上の材料シートから作成され、材料を保存する容積を有する形状を作成するよう共に結合されてもよい。限定ではなく、一例として、バッグの内層１９０４の形状は、立方体が立方体形状を形成するよう縫い目で共に結合される６枚の材料シートで形成されるように、立方体であってもよい。検討したように、内層１９０４は、密封される開口部を含むことができるが、バッグの中身が使える状態である場合に開けられるか、壊すことができる。外層１９０２は外装及び内装を含むことができ、ここで、内装は内層１９０４の外装に当接し、外装はバッグ外側の構成要素に曝露されることは、正しく認識するべきである。更に、内層１９０４は外装及び内装を含むことができ、ここで、内装はその中に保存される材料と当接し、外装は外層１９０２の内装と当接することは、正しく認識するべきである。追加層がバッグ１９００に含まれる場合、追加層は外層１９０２と内層１９０４との間に位置決めされてもよい。
【００４３】
図１９は、外層１９０２がバッグの上面で除去されて内層１９０４及び開口部１９０８を曝露し、示しているバッグ１９００を示している。一実施形態において、内層１９０４は、開口部１９０８がバッグ１９００の上面及び上面の中心に位置決めされるように、縫い目と共に作製されてバッグ１９００の形状を形成する。開口部１９０８は、ネック部１９０６を作成する内層１９０４から形成されてもよい。外層１９０２が内層１９０４を取り囲み、開口部１９０８に対応する開口部を有し、更に、外層１９０２は、内層１９０２を示すために、部分的に示されていることを、正しく認識するべきである。
【００４４】
図２０は、バッグ１９００と、折り返された外層１９０２及び内層１９０４のネック部の図を示している。図２０は、外層１９０２及び内層１９０４を有するバッグ１９００を示しているが、両方は外層折返し１９１２及び内層折返し１９１０を作成して折り返されている。開口部１９０８は、内層１９０４及び外層１９０２をロールさせるか、又は、折り返すことによって、更に曝露されると同時に、ネック部１９０６の大きさを縮小させることができる。一実施形態において、内層１９０４は、外層１９０２と別々にロールさせるか、又は、折り返されてもよい（図２０に示すように）。別の実施形態において、外層１９０２及び内層１９０４は共に折り返されるか、又は、ロールされてもよい（図２１に示すように）。どちらか一方の実施形態において、鍔３０２は開口部１９０８の上に位置決めされて、層のロール部分又は折返し部分が鍔３０２の外壁３２６上に位置決めされることを可能にしており、ここで、鍔３０２の縁部３１０は内層１９０４の外装又は外層１９０２の外装のうちの少なくとも１つと当接する。例えば、外層１９０２及び内層１９０４が鍔３０２の縁部３１０の上に共に折り返されるか、又は、ロールされる場合、縁部３１０は外層１９０２の外装と当接する。別の実施例において、内層１９０４が鍔３０２の縁部３１０の上に別々に折り返されるか、又は、ロールされる場合、縁部３１０は内層１９０４の外装と当接する。鍔３０２は開口部に嵌合でき、蓋３０４が鍔と結合することを可能にすると同時に、かかる結合がバッグの層を共に挟み込むように、折返し又はロールの数はネック部１９０６を縮小させるように適切な技術的判断により選択されてもよい。折返し又はロールからのバッグの余分な材料は、バッグ１９００から除去されるか、切り取られてもよいことは、正しく認識するべきである。
【００４５】
図２１は、折り返された層（例えば、外層１９０２、内層１９０４）に結合された鍔３０２を示しており、ここで、結合は、鍔３０２が開口部１９０８の上に設置され、且つ、折り返された層が鍔３０２の外装面３２６上に設置されるようなものである。鍔３０２は、層が折り返される位置で、且つ、開口部１９０８において、バッグ１９００に取り付けられるか、結合されてもよい。結合は、外層１９０２及び内層１９０４が縁部３１０の上に折り返され、外層１９０２が縁部３１０と当接し、且つ、内層１９０４がバッグ１９００の外側に曝露されるようなものであってもよい。蓋３０４は鍔の縁部３１０に取り付けられて、蓋３０４と鍔３０２の縁部３１０との間でバッグの層を挟むことができる。圧縮部材１９１２は、更に、鍔３０２及び折り返された層の周囲に位置決めされて、折り返された層を外壁３２６に対して押圧してもよい。圧縮部材１９１２は、数ある中でも、ゴム材料、ポリマー、合成材料、天然材料、クランプ、バンジーコード、ロープ、紐、ラチェットストラップ、タイダウン、収縮包装されるプラスチック部材、ゴムバンドであってもよいことは、正しく認識するべきである。
【００４６】
一実施形態において、鍔は第１の大きさを有する第１の形状であり、バッグの開口部は第２の大きさを有する第１の形状であり、ここで、第１の大きさは第２の大きさよりも大きい。一実施形態において、ウェブは下端部から外側に延在している。一実施形態において、ウェブは第１の厚さ及び第２の厚さを含み、ここで、第１の厚さは第２の厚さよりも厚く、第２の厚さと比較して下端部に近接して位置決めされている。一実施形態において、ウェブの一部はバッグの１つ以上の層同士の間で一体化される。一実施形態において、ウェブの一部はバッグの内層と一体化される。一実施形態において、ウェブの一部は外層に結合され、外層は内層に結合される。一実施形態において、ウェブの一部はバッグの内層に結合される。一実施形態において、シールアセンブリは、更に、鍔の一部をバッグの一部に固定する熱溶着を備える。一実施形態において、シールアセンブリは、更に、縁部とウェブとの間で鍔の外壁に支持リブを備える。
【００４７】
前記のシステム、構成部品（例えば、数ある中でも、ハーメチックシールアセンブリシステム１００、ハーメチックシールアセンブリ３００、鍔１０２、蓋１０４、鍔３０２、蓋３０４、バッグ５００、バッグ７００、バッグ１９００、圧縮部材１９１２）、等を、幾つかの構成部品及び／又は構成要素との間の相互作用に関して説明してきた。かかる装置及び構成要素は、そこで指定されたそれらの構成要素又は部分要素、指定された構成要素又は部分要素のうちの幾つか、及び／又は追加の構成要素を含むことができることを、正しく認識するべきである。また更に、１つ以上の構成要素及び／又は部分要素は、単一の構成部品に組み合わされて集合体の機能を提供してもよい。構成要素は、また、本明細書中で特に説明されなかった１つ以上の他の構成要素と相互作用してもよい。
【００４８】
本明細書中で検討した実施形態は、上で検討したシステム及び方法に関連する一方で、これらの実施形態は、例示的であることを目的とし、これらの実施形態の適用性を本明細書中で説明したそれらの検討だけに制限することを意図していない。本明細書中で検討した制御システム及び方法は、上で検討した発明の精神又は適用範囲から逸脱することなく、アーク溶接、レーザ溶接、ろう付け、はんだ付け、プラズマ切断、ウォータージェット切断、レーザ切断に関するシステム及び方法、並びに、類似した制御方法を用いるその他のシステム及び方法に等しく適用可能であるか、それらにおいて利用することができる。本明細書中の実施形態及び検討は、当業者によってこれらのシステム及び方法のいずれかに容易に組み込むことができる。限定ではなく、一例として、本明細書中で用いられる電力供給装置（例えば、溶接電力供給装置等）は、溶接、アーク溶接、レーザ溶接、ろう付け、はんだ付け、プラズマ切断、ウォータージェット切断、レーザ切断等を行う装置のための電力供給装置であってもよい。従って、適切な技術及び判断のうちの１つは、主題発明の実施形態の意図する適用範囲及び有効範囲から逸脱する溶接電力供給装置以外の電力供給装置を選択することができる。
【００４９】
上記の実施例は、本発明の様々な態様のいくつか可能性のある実施形態の単なる例示であり、同等の代替及び／又は変形例は、本明細書及び添付図面を読み、理解することにより同業者にとって考え付くであろう。特に、上で説明したコンポーネント（アセンブリ、装置、システム、回路、等）によって実行される様々な機能に関して、かかるコンポーネントを説明するために用いられる用語（「意味」に対する言及を含む）は、特に指定しない限り、本発明の図示した実装内の機能を実行する開示構造と構造的に同等ではないとしても、説明したコンポーネントの特定の機能（例えば、機能的に同等である）を実行するハードウェア、ソフトウェア、又はそれらの組み合わせ等の何らかのコンポーネントに相当することを意図している。加えて、本発明の特定の特徴は、１つだけの、又は、いくつかの実装に関して開示されていてもよいが、かかる特徴は、何らかの所定又は特定の用途にとって望ましいか、有利であってもよいような他の実装の１つ以上の他の特徴と組み合わされてもよい。また、用語「含むこと」、「含む」、「有すること」、「有する」、「持つ」、又はそれらの変形例が詳細な説明及び／又は特許請求の範囲において用いられる範囲で、かかる用語は、用語「備える」と類似した要領で包括するものであることを意図している。
【００５０】
この明細書は実施例を用いて、いずれかの装置又はシステムを作成及び用いることと、いずれかの組み合わせた方法を実行することとを含む、最良の形態を含む本発明を開示し、また、当業者が本発明を実施することを可能にしている。本発明の特許を受けることができる適用範囲は、特許請求の範囲によって規定され、当業者に生じる他の実施例を含んでいてもよい。かかる他の実施例は、それらが、特許請求の範囲の文言とは異なっていない構造的構成要素を有していれば、又は、それらが、特許請求の範囲の文言とは不十分な差異を有する同等の構造的構成要素を含んでいれば、特許請求の範囲の適用範囲内にあることを意図している。
【００５１】
明細書及び特許請求の範囲において、以下の意味を有する幾つかの用語に対して参照を行う。単数形「ａ」、「ａｎ」、及び「ｔｈｅ」は、文脈で明確に規定しない限り、複数の指示対象を含む。明細書及び特許請求の範囲の全体を通して本明細書中で用いるような概算の言葉は、結果として、それが関係する基本機能を変えること無く、許容範囲で変動する可能性のある量的表現を修正するよう適用されてもよい。従って、「約」等の用語で修正された値は、指定された正確な値に限定されるべきではない。幾つかの例において、概算の言葉は値を測定するための機器の精度に対応してもよい。その上、特に明記しない限り、用語「第１」、「第２」、等の使用は、順序又は重要度を意味するものではなく、むしろ、用語「第１」、「第２」、等は１つの構成要素を別のものと区別するために用いられる。
【００５２】
本明細書中で用いるように、用語「〜である可能性がある」及び「〜であってもよい」は、一組の状況内での発生の可能性、特定の性質、特性、又は機能の保有を示すか、及び／又は、制限された動詞に関連する機能、能力、又は可能性のうちの１つ以上を表すことによって、別の動詞を制限する。従って、「〜である可能性がある」及び「〜であってもよい」の使用は、修正された用語が、示された能力、機能、又は使用に対して、明らかに適正、可能、又は適切であることを示すと同時に、幾つかの状況において、修正された用語が、時として適正、可能、又は適切ではない可能性があることを考慮に入れている。例えば、幾つかの状況において、ある事象又は能力が期待されてもよい一方で、他の状況において、事象又は能力は生じなくてもよく、この区別は用語「〜である可能性がある」及び「〜であってもよい」によって捕らえられる。
【００５３】
発明を実施するための最良の形態を、装置又はシステムを作成及び用いること、並びに、組み込まれた方法を実行することを含む、その時点で出願人が知っており、当業者が発明を実施できる最良の形態を示すために説明してきた。実施例は、説明するためだけのものであり、特許請求の範囲の適用範囲及び利点によって判断されるように本発明を制限することを意味しない。発明を、好ましい実施形態及び代替実施形態を参照して説明してきた。明らかに、他の者にとって、変形例及び代替例は、明細書を熟読し、理解することによって生じるであろう。それらが添付特許請求の範囲の適用範囲、又はそれらの均等物内にある限り、かかる全ての変形例及び代替例を含むことを意図している。本発明の特許を受けることができる適用範囲は、特許請求の範囲によって規定され、当業者に生じる他の実施例を含んでいてもよい。かかる他の実施例は、それらが、特許請求の範囲の文言とは区別しない構造的構成要素を有していれば、又は、それらが、特許請求の範囲の文言から非現実的な差異を有する同等の構造的構成要素を含んでいれば、特許請求の範囲の適用範囲内にあることを意図している。
【符号の説明】
【００５４】
１００  ハーメチックシールアセンブリシステム
１０２、３０２  鍔
１０３、３０３  通路
１０４、３０４  蓋
１０６、３０６  上端部
１０８、３０８  下端部
１１０、３１０  縁部
１１１  ウェブ
１１２、３１２  支持リブ
１１４  第１の部分
１１６  第２の部分
１１８  上面
１２０  底面
１２４、３２４  内壁
１２６、３２６  外壁
１２８  間隙部
３００  ハーメチックシールアセンブリ
５００  バッグ
５０１、１９０２  外層
５０２  正面
５０３、１９０４  内層
５０４、５０６  リボン
５０８  開口端
５１０  閉口端
６００  リボン織り
７００  バッグ
７０８  側壁
１９００  バッグ
１９０６  ネック部
１９０８  開口部
１９１２、１９１４  圧縮部材
【図１】
2018115032.tif 000002
【図２】
2018115032.tif 000003
【図３】
2018115032.tif 000004
【図４】
2018115032.tif 000005
【図５】
2018115032.tif 000006
【図６】
2018115032.tif 000007
【図７】
2018115032.tif 000008
【図８】
2018115032.tif 000009
【図９】
2018115032.tif 000010
【図１０】
2018115032.tif 000011
【図１１】
2018115032.tif 000012
【図１２】
2018115032.tif 000013
【図１３】
2018115032.tif 000014
【図１４】
2018115032.tif 000015
【図１５】
2018115032.tif 000016
【図１６】
2018115032.tif 000017
【図１７】
2018115032.tif 000018
【図１８】
2018115032.tif 000019
【図１９】
2018115032.tif 000020
【図２０】
2018115032.tif 000021
【図２１】
2018115032.tif 000022
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
バルクバッグ用のシールアセンブリシステムであって、
材料を保存するバッグであって、開口部を含むバッグを備え、
前記バッグは内層及び外層を含み、前記内層はフォイル積層体であり、前記外層はポリプロピレンからできているリボン織り構造であり、
上端部と、それに対向する下端部と、前記上端部と前記下端部との間に延在する通路を画成する内壁を有する鍔を備え、
前記鍔は、
前記上端部上の縁部と、
前記下端部上のウェブと、を有し、
前記鍔の前記ウェブは前記開口部において前記内層及び前記外層と一体化され、
前記鍔の前記縁部に解放自在に取り付けられて前記開口部におけるハーメチックシールを提供するよう構成される蓋を備える、
シールアセンブリシステム。
【請求項２】
前記鍔は第１の大きさを有する第１の形状であり、前記バッグの前記開口部は第２の大きさを有する前記第１の形状であり、前記第１の大きさは前記第２の大きさよりも大きい、請求項１に記載のシールアセンブリシステム。
【請求項３】
前記ウェブは前記下端部から外側に延在する、請求項１に記載のシールアセンブリシステム。
【請求項４】
前記ウェブは第１の厚さ及び第２の厚さを含み、前記第１の厚さは前記第２の厚さよりも厚く、前記第２の厚さと比較して前記下端部に近接して位置決めされる、請求項１に記載のシールアセンブリシステム。
【請求項５】
前記ウェブの一部は前記バッグの１つ以上の層同士の間で一体化される、請求項１に記載のシールアセンブリシステム。
【請求項６】
前記ウェブの一部は前記バッグの前記内層と一体化される、請求項１に記載のシールアセンブリシステム。
【請求項７】
前記ウェブの一部は前記外層に結合され、前記外層は前記内層に結合される、請求項１に記載のシールアセンブリシステム。
【請求項８】
前記ウェブの一部は前記バッグの前記内層に結合される、請求項１に記載のシールアセンブリシステム。
【請求項９】
更に、前記鍔の一部を前記バッグの一部に固定する熱溶着を備える、請求項１に記載のシールアセンブリシステム。
【請求項１０】
更に、前記縁部と前記ウェブとの間で前記鍔の外壁に支持リブを備える、請求項１に記載のシールアセンブリシステム。
【請求項１１】
バッグであって、
前記バッグはある容積の材料を保持するよう構成される立方体形状を有し、前記バッグは、正面、前記正面と対向する背面、左側面、前記左側面と対向する右側面、上面、及び、前記上面と対向する底面を有し、
前記バッグの前記上面上の開口部であって、内層又は外層のうちの少なくとも１つによって形成される開口部と、
前記材料のための気密エンクロージャを提供するよう構成される内層であって、前記気密エンクロージャは前記開口部を介してアクセスできる内層と、
前記内層の周囲に位置決めされる外層であって、構造支持及びリボン織りとの整合性を提供する外層と、を備え、
前記開口部は、前記内層又は前記外層のうちの少なくとも１つによって形成されるネック部を含み、
上端部と、それと対向する下端部と、前記上端部と前記下端部との間に延在する通路を画成する内壁と、前記内壁と対向する外壁とを有し、前記通路のための厚さ及び直径を有する鍔を備え、
前記鍔は前記ネック部の上に位置決めされ、前記内層又は前記外層のうちの少なくとも１つが前記鍔の縁部の上で折り返され、前記内層又は前記外層のうちの少なくとも１つは前記鍔の前記外壁上に折り返され、
前記鍔に解放自在に結合される蓋であって、前記鍔に取り付けられる場合に、前記蓋、前記外層、前記内層、及び前記鍔の前記縁部を共に押圧する力を印加する蓋を備える、
バッグ。
【請求項１２】
前記外層はポリプロピレンである、請求項１１に記載のバッグ。
【請求項１３】
前記内層はフォイル積層体である、請求項１２に記載のバッグ。
【請求項１４】
更に、前記内層又は前記外層のうちの１つを前記鍔の前記外壁に押し付けて、前記鍔からの前記蓋の取り外し時に連結を維持する圧縮部材を備える、請求項１１に記載のバッグ。
【請求項１５】
前記圧縮部材はポリマーである、請求項１１に記載のバッグ。
【請求項１６】
前記蓋が前記鍔の前記縁部に結合される場合、前記鍔の前記縁部は前記外層の外装と当接し、且つ、前記蓋の底部は前記内層の内装と当接する、請求項１１に記載のバッグ。
【請求項１７】
前記蓋が前記鍔の前記縁部に結合される場合、前記鍔の前記縁部は前記内層の外装と当接し、且つ、前記蓋の底部は前記内層の内装と当接する、請求項１１に記載のバッグ。
【請求項１８】
更に、前記鍔の一部と一体化される前記バッグの前記ネック部の一部を備える、請求項１１に記載のバッグ。
【請求項１９】
前記鍔は第１の大きさを有する第１の形状であり、前記バッグの前記開口部は第２の大きさを有する前記第１の形状であり、前記第１の大きさは前記第２の大きさよりも大きい、請求項１１に記載のバッグ。
【請求項２０】
バルクバッグ用のシールアセンブリシステムであって、
材料を保存し、第１の端部と、それと対向する第２の端部とを有するバッグであって、前記第１の端部に開口部を含むバッグを備え、
前記バッグは内層及び外層を含み、前記内層はフォイル積層体であり、前記外層はポリプロピレンからできているリボン織り構造であり、
上端部と、それに対向する下端部と、前記上端部と前記下端部との間に延在する通路を画成する内壁を有する鍔を備え、
前記鍔は、更に、外壁を含み、
前記鍔は、
前記上端部上の縁部と、
前記外壁から垂直で、外側にあるウェブと、
前記縁部と前記ウェブとの間の支持リブと、を有し、
前記鍔は、前記外層が前記内壁及び前記外壁と当接するように、前記バッグの一部の周囲に取り付けられ、
前記鍔の周囲に位置決めされて前記外層及び前記内層を前記鍔の前記外壁に向けて押し付けるよう構成される圧縮部材と、
前記鍔の前記縁部に解放自在に取り付けられて前記開口部におけるハーメチックシールを提供するよう構成される蓋であって、前記縁部は前記外層と当接し、前記蓋は前記内層と当接し、前記外層及び前記内層が間に入って前記縁部と結合する蓋と、を備える、
シールアセンブリシステム。
【手続補正２】
【補正対象書類名】明細書
【補正対象項目名】００４５
【補正方法】変更
【補正の内容】
【００４５】
図２１は、折り返された層（例えば、外層１９０２、内層１９０４）に結合された鍔３０２を示しており、ここで、結合は、鍔３０２が開口部１９０８の上に設置され、且つ、折り返された層が鍔３０２の外装面３２６上に設置されるようなものである。鍔３０２は、層が折り返される位置で、且つ、開口部１９０８において、バッグ１９００に取り付けられるか、結合されてもよい。結合は、外層１９０２及び内層１９０４が縁部３１０の上に折り返され、外層１９０２が縁部３１０と当接し、且つ、内層１９０４がバッグ１９００の外側に曝露されるようなものであってもよい。蓋３０４は鍔の縁部３１０に取り付けられて、蓋３０４と鍔３０２の縁部３１０との間でバッグの層を挟むことができる。圧縮部材１９１４は、更に、鍔３０２及び折り返された層の周囲に位置決めされて、折り返された層を外壁３２６に対して押圧してもよい。圧縮部材１９１４は、数ある中でも、ゴム材料、ポリマー、合成材料、天然材料、クランプ、バンジーコード、ロープ、紐、ラチェットストラップ、タイダウン、収縮包装されるプラスチック部材、ゴムバンドであってもよいことは、正しく認識するべきである。
【手続補正３】
【補正対象書類名】明細書
【補正対象項目名】００４７
【補正方法】変更
【補正の内容】
【００４７】
前記のシステム、構成部品（例えば、数ある中でも、ハーメチックシールアセンブリシステム１００、ハーメチックシールアセンブリ３００、鍔１０２、蓋１０４、鍔３０２、蓋３０４、バッグ５００、バッグ７００、バッグ１９００、圧縮部材１９１４）、等を、幾つかの構成部品及び／又は構成要素との間の相互作用に関して説明してきた。かかる装置及び構成要素は、そこで指定されたそれらの構成要素又は部分要素、指定された構成要素又は部分要素のうちの幾つか、及び／又は追加の構成要素を含むことができることを、正しく認識するべきである。また更に、１つ以上の構成要素及び／又は部分要素は、単一の構成部品に組み合わされて集合体の機能を提供してもよい。構成要素は、また、本明細書中で特に説明されなかった１つ以上の他の構成要素と相互作用してもよい。
【手続補正４】
【補正対象書類名】明細書
【補正対象項目名】００４８
【補正方法】変更
【補正の内容】
【００４８】
本明細書中で検討した実施形態は、上で検討したシステム及び方法に関連する一方で、これらの実施形態は、例示的であることを目的とし、これらの実施形態の適用性を本明細書中で説明したそれらの検討だけに制限することを意図していない。本明細書中で検討した制御システム及び方法は、上で検討した発明の精神又は適用範囲から逸脱することなく、アーク溶接、レーザ溶接、ろう付け、はんだ付け、プラズマ切断、ウォータージェット切断、レーザ切断に関するシステム及び方法、並びに、類似した制御方法を用いるその他のシステム及び方法に等しく適用可能であるか、それらにおいて利用することができる。本明細書中の実施形態及び検討は、当業者によってこれらのシステム及び方法のいずれかに容易に組み込むことができる。限定ではなく、一例として、本明細書中で用いられる電力供給装置（例えば、溶接電力供給装置等）は、溶接、アーク溶接、レーザ溶接、ろう付け、はんだ付け、プラズマ切断、ウォータージェット切断、レーザ切断等を行う装置のための電力供給装置であってもよい。従って、適切な技術及び判断のうちの１つは、主題発明の実施形態の意図する適用範囲及び有効範囲から逸脱することなく溶接電力供給装置以外の電力供給装置を選択することができる。
【手続補正５】
【補正対象書類名】図面
【補正対象項目名】図２１
【補正方法】変更
【補正の内容】
【図２１】
2018115032.tif 000023
【外国語明細書】
2018115032000001.pdf